(57)【要約】【課題】  部品の重量と部品のコストの関係式を利用して、簡便で容易な製品価格の見積もりをする。【解決手段】  コスト見積もりの対象となる部品の重量の入力を受け付ける条件受付手段２１と、部品の重量と部品のコストとの関係を表す固有の関係式を記憶する記憶装置３０と、関係式を記憶装置３０から読み出して、条件受付手段２１が受け付けた部品の重量を関係式に代入して、部品のコストを算出するコスト算出手段２２と、算出した部品のコストの出力制御をする出力制御段２３を備える。複数の部品を含む製品について、各部品のコスト見積もり結果を集計した、製品のコスト見積もりもできる。【選択図】図１
2006227776.tif 000002
【特許請求の範囲】
【請求項１】
コスト見積もりの対象となる部品の重量の入力を受け付ける条件受付手段と、
前記部品の重量と部品のコストとの関係を表す固有の関係式を記憶する記憶装置と、
前記関係式を前記記憶装置から読み出して、前記条件受付手段が受け付けた前記部品の重量を前記関係式に代入して、前記部品のコストを算出するコスト算出手段と、
算出した部品のコストの出力制御をする出力制御手段とを備えたことを特徴とするコスト見積もりシステム。
【請求項２】
コスト見積もりの対象となる部品の重量と、当該部品の主要材料の実単価の入力を受け付ける条件受付手段と、
前記主要材料の標準単価をパラメータとした、前記部品の重量と部品のコストとの関係を表す固有の関係式を記憶する記憶装置と、
前記関係式を前記記憶装置から読み出して、前記条件受付手段が受け付けた前記部品の重量と、前記主要材料の標準単価と実単価の関係を前記関係式に代入して、前記部品のコストを算出するコスト算出手段と、
算出した部品のコストの出力制御をする出力制御手段とを備えたことを特徴とするコスト見積もりシステム。
【請求項３】
請求項１または２に記載のコスト見積もりシステムにおいて、
前記関係式は、一次式からなることを特徴とするコスト見積もりシステム。
【請求項４】
請求項１または２に記載のコスト見積もりシステムにおいて、
前記コスト算出手段は、複数の部品について、前記関係式を用いた部品のコスト算出処理を実行し、
前記出力制御手段は、前記複数の部品を含む製品について、各部品のコスト見積もり結果を集計した、前記製品のコスト見積もり結果を出力することを特徴とするコスト見積もりシステム。
【請求項５】
請求項１または２に記載のコスト見積もりシステムにおいて、
前記コスト算出手段は、複数の部品について、前記関係式を用いた部品のコスト算出処理を実行し、
前記出力制御手段は、前記複数の部品を含む製品について、各部品の重量を集計した、前記製品の重量を出力することを特徴とするコスト見積もりシステム。
【請求項６】
請求項３に記載のコスト見積もりシステムにおいて、
前記関係式は、前記部品の重量範囲毎に、それぞれ異なる係数を持つ一次式とされることを特徴とするコスト見積もりシステム。
【請求項７】
請求項３に記載のコスト見積もりシステムにおいて、
前記関係式は、前記部品の加工方法毎に、それぞれ異なる係数を持つ一次式とされることを特徴とするコスト見積もりシステム。
【請求項８】
請求項３に記載のコスト見積もりシステムにおいて、
前記関係式は、前記部品の加工精度毎に、それぞれ異なる係数を持つ一次式とされることを特徴とするコスト見積もりシステム。
【請求項９】
請求項１または２に記載のコスト見積もりシステムにおいて、
ある重量の部品のコストを求め、さらに、別の重量の部品のコストを求めて、部品の重量と部品のコストとの対応関係を示す少なくとも２組のデータを取得するとともに、部品の重量範囲と部品の主材料と部品の加工方法と部品の加工精度のいずれかひとつもしくは複数の条件の入力を受け付ける条件受付手段と、
前記条件受付手段の受け付けた条件を受け入れて、前記部品の重量と部品のコストとの関係をほぼ満たすような一次式から成る固有の関係式を生成して、前記条件と前記関係式とを前記記憶装置に記憶する関係式生成手段とを備えたことを特徴とするコスト見積もりシステム。
【請求項１０】
コンピュータを、
コスト見積もりの対象となる部品の重量の入力を受け付ける条件受付手段と、
前記部品の重量と部品のコストとの関係を表す固有の関係式を記憶する記憶装置と、
前記関係式を前記記憶装置から読み出して、前記条件受付手段が受け付けた前記部品の重量を前記関係式に代入して、前記部品のコストを算出するコスト算出手段と、
算出した部品のコストの出力制御をする出力制御手段、
として機能させることを特徴とするコスト見積もりプログラム。
【請求項１１】
コンピュータを、
コスト見積もりの対象となる部品の重量の入力を受け付ける条件受付手段と、
前記部品の重量と部品のコストとの関係を表す固有の関係式を記憶する記憶装置と、
前記関係式を前記記憶装置から読み出して、前記条件受付手段が受け付けた前記部品の重量を前記関係式に代入して、前記部品のコストを算出するコスト算出手段と、
算出した部品のコストの出力制御をする出力制御手段、
として機能させるコスト見積もりプログラムを記録したコンピュータで読み取り可能としたことを特徴とする記録媒体。
【請求項１２】
条件受付手段が、コスト見積もりの対象となる部品の、重量の入力を受け付ける処理を実行するステップと、
記憶装置が、前記部品の重量と部品のコストとの関係を表す固有の関係式を記憶する処理を実行するステップと、
コスト算出手段が、前記関係式を前記記憶装置から読み出して、前記条件受付手段が受け付けた前記部品の重量を前記関係式に代入して、前記部品のコストを算出する処理を実行するステップと、
出力制御手段が、算出した部品のコストを出力制御する処理を実行するステップと、
を含むことを特徴とするコスト見積もり方法。
【発明の詳細な説明】
【技術分野】
【０００１】
本発明は、部品や製品の簡易なコスト見積もりを可能にする、コスト見積もりシステムとコスト見積もりプログラムと記録媒体とコスト見積もり方法に関する。
【背景技術】
【０００２】
一般に、製品のコスト見積もりは、材料費、工数、歩留まり、償却等の各種の要素を積み上げて行われるが、その計算は複雑で専門知識を要する。そこで、ＣＡＤデータから抽出できる、部品のサイズと部品コストとの相関関係を示す関係式を利用する、自動見積もり計算方法が開発されている（特許文献１参照）。また、ＣＡＤデータから取得したパラメータと材料費等から自動見積もり計算をする方法も開発されている（特許文献２参照）。
【特許文献１】特開平８−３０５７３５号公報
【特許文献２】特開２００１−１０１２８４号公報
【発明の開示】
【発明が解決しようとする課題】
【０００３】
ここで、従来のコスト見積もりシステムには、次のような解決すべき課題があった。
製品の企画設計段階で製品コストが問題になることが多い。また、製品のコストダウンや軽量化のために材料変更や仕様変更を計画する際、製品コストが最大の問題になる。しかしながら、従来の方法では、製品の設計が完了しなければ、製品コストを見積もることができなかった。
本発明は以上の点に着目してなされたもので、製品の設計時に随時、比較的精度の高い簡易な製品コストの見積もり計算を可能にして、製品コストを考慮した設計を支援する、コスト見積もりシステムとコスト見積もりプログラムと記録媒体とコスト見積もり方法を提供することを目的とする。
【課題を解決するための手段】
【０００４】
本発明の各実施例においては、それぞれ次のような構成により上記の課題を解決する。
〈構成１〉  コスト見積もりの対象となる部品の重量の入力を受け付ける条件受付手段と、上記部品の重量と部品のコストとの関係を表す固有の関係式を記憶する記憶装置と、上記関係式を上記記憶装置から読み出して、上記条件受付手段が受け付けた上記部品の重量を上記関係式に代入して、上記部品のコストを算出するコスト算出手段と、算出した部品のコストの出力制御をする出力制御手段を備えたことを特徴とするコスト見積もりシステム。
【０００５】
様々な部品の重量と部品のコストとの関係を表す固有の関係式を記憶装置に記憶させておけば、部品の重量を入力するだけで、そのコスト計算ができる。故に、簡便で容易な製品価格の見積もり等が可能になる。
【０００６】
〈構成２〉  コスト見積もりの対象となる部品の重量と、当該部品の主要材料の実単価の入力を受け付ける条件受付手段と、上記主要材料の標準単価をパラメータとした、上記部品の重量と部品のコストとの関係を表す固有の関係式を記憶する記憶装置と、上記関係式を上記記憶装置から読み出して、上記条件受付手段が受け付けた上記部品の重量と、上記主要材料の標準単価と実単価の関係を上記関係式に代入して、上記部品のコストを算出するコスト算出手段と、算出した部品のコストの出力制御をする出力制御手段を備えたことを特徴とするコスト見積もりシステム。
【０００７】
部品の価格に影響を与える主要材料の標準単価をパラメータとして上記関係式を設けておくと、実単価に基づいて算出結果を補正することができる。
【０００８】
〈構成３〉  構成１または２に記載のコスト見積もりシステムにおいて、上記関係式は、一次式からなることを特徴とするコスト見積もりシステム。
【０００９】
関係式を一次式とし、これを用いて近似計算をすることで、算出処理が簡略化できる。また、明確な相関性のあるものだけについて関係式を採用できる。
【００１０】
〈構成４〉  構成１または２に記載のコスト見積もりシステムにおいて、上記コスト算出手段は、複数の部品について、上記関係式を用いた部品のコスト算出処理を実行し、上記出力制御手段は、上記複数の部品を含む製品について、各部品のコスト見積もり結果を集計した、上記製品のコスト見積もり結果を出力することを特徴とするコスト見積もりシステム。
【００１１】
各部品のコスト見積もり結果を集計すれば、それらの部品を使用した製品のコスト見積もりができる。
【００１２】
〈構成５〉  構成１または２に記載のコスト見積もりシステムにおいて、上記コスト算出手段は、複数の部品について、上記関係式を用いた部品のコスト算出処理を実行し、上記出力制御手段は、上記複数の部品を含む製品について、各部品の重量を集計した、上記製品の重量を出力することを特徴とするコスト見積もりシステム。
【００１３】
上記の処理に使用した部品の重量は、それらの部品を使用した製品の重量算出に利用できる。
【００１４】
〈構成６〉  構成３に記載のコスト見積もりシステムにおいて、上記関係式は、上記部品の重量範囲毎に、それぞれ異なる係数を持つ一次式とされることを特徴とするコスト見積もりシステム。
【００１５】
同種の部品であっても、部品の重量が異なれば別の関係式を用いるようにして、より高い精度のコスト見積もり計算が可能になる。
【００１６】
〈構成７〉  構成３に記載のコスト見積もりシステムにおいて、上記関係式は、上記部品の加工方法毎に、それぞれ異なる係数を持つ一次式とされることを特徴とするコスト見積もりシステム。
【００１７】
同種の部品であっても、部品の加工方法が異なれば別の関係式を用いるようにして、より高い精度のコスト見積もり計算が可能になる。
【００１８】
〈構成８〉  構成３に記載のコスト見積もりシステムにおいて、上記関係式は、上記部品の加工精度毎に、それぞれ異なる係数を持つ一次式とされることを特徴とするコスト見積もりシステム。
【００１９】
加工精度の異なる部品は、それぞれ異なる関係式でコスト計算をすると、より高い精度のコスト見積もり計算が可能になる。
【００２０】
〈構成９〉  構成１または２に記載のコスト見積もりシステムにおいて、ある重量の部品のコストを求め、さらに、別の重量の部品のコストを求めて、部品の重量と部品のコストとの対応関係を示す少なくとも２組のデータを取得するとともに、部品の重量範囲と部品の主材料と部品の加工方法と部品の加工精度のいずれかひとつもしくは複数の条件の入力を受け付ける条件受付手段と、条件受付手段の受け付けた条件を受け入れて、上記部品の重量と部品のコストとの関係をほぼ満たすような一次式から成る固有の関係式を生成して、上記条件と関係式とを記憶装置に記憶する関係式生成手段とを備えたことを特徴とするコスト見積もりシステム。
【００２１】
上記のシステムの動作に必要な、部品の重量と部品のコストとの関係を表す一次式を、必要な条件データを入力して自動的に生成することができる。加工方法もしくは加工精度に対応する固有の関係式を記憶させるので、加工方法や加工精度を指定して、最も適する関係式を選択して、上記コスト見積もり演算処理ができる。
【００２２】
〈構成１０〉  コンピュータを、コスト見積もりの対象となる部品の重量の入力を受け付ける条件受付手段と、上記部品の重量と部品のコストとの関係を表す固有の関係式を記憶する記憶装置と、上記関係式を上記記憶装置から読み出して、上記条件受付手段が受け付けた上記部品の重量を上記関係式に代入して、上記部品のコストを算出するコスト算出手段と、算出した部品のコストの出力制御をする出力制御手段、として機能させるコスト見積もりプログラム。
【００２３】
〈構成１１〉  コンピュータを、コスト見積もりの対象となる部品の重量の入力を受け付ける条件受付手段と、上記部品の重量と部品のコストとの関係を表す固有の関係式を記憶する記憶装置と、上記関係式を上記記憶装置から読み出して、上記条件受付手段が受け付けた上記部品の重量を上記関係式に代入して、上記部品のコストを算出するコスト算出手段と、算出した部品のコストの出力制御をする出力制御手段、として機能させるコスト見積もりプログラムを記録したコンピュータで読み取り可能な記録媒体。
【００２４】
〈構成１２〉  条件受付手段が、コスト見積もりの対象となる部品の、重量の入力を受け付ける処理を実行するステップと、記憶装置が、上記部品の重量と部品のコストとの関係を表す固有の関係式を記憶する処理を実行するステップと、コスト算出手段が、上記関係式を上記記憶装置から読み出して、上記条件受付手段が受け付けた上記部品の重量を上記関係式に代入して、上記部品のコストを算出する処理を実行するステップと、出力制御手段が、算出した部品のコストを出力制御する処理を実行するステップと、を含むコスト見積もり方法。
【発明を実施するための最良の形態】
【００２５】
本発明では、製品を構成する各部品の重量とコストとの相関関係を示す関係式を用意する。この関係式を用いると、部品の重量を指定してただちにその部品のコスト見積もり計算ができる。関係式は部品ごとに個別に用意する。部品の重量だけでなく、部品の主要材料の重量からコスト計算をすることもできる。以下、本発明の実施の形態を実施例ごとに詳細に説明する。
【実施例１】
【００２６】
図１は、本発明によるコスト見積りシステムの具体例ブロック図である。
図示のシステムは、例えば、パーソナルコンピュータやワークステーション等からなるコンピュータ１０により実現する。このコンピュータ１０は、本体制御部１１、ディスプレイ１２、キーボード１３、マウス１４などを備える。キーボード１３やマウス１４を用いてデータが入力され、その演算処理結果がディスプレイ１２に表示される。本体制御部１１の内部には、演算処理装置２０や記憶装置３０が組み込まれている。また、本体制御部１１には、プリンタ１５が接続されている。
【００２７】
演算処理装置２０は、条件受付手段２１、コスト算出手段２２、出力制御手段２３、関係式生成手段２４を含む。これらの手段は、いずれもコンピュータに所定の処理を実行させるコンピュータプログラムからなる。記憶装置３０には、コスト見積り計算のための様々なデータが記憶されている。図示の例では、部品名３１、部品の重量３２、部品のコスト３３、及び部品の重量３２から部品のコスト３３を計算するための関係式３４が関連付けられて記憶されている。
【００２８】
また、主要材料名３６、材料標準単価３７、部品名３８、部品の重量３９、部品のコスト４０、及び関係式４１を含むデータが記憶されている。これらのデータは、部品の重量だけでなく部品に使われている材料の標準単価から関係式４１を用いて部品のコスト４０を算出するために使用される。この他に、記憶装置３０には、製品名４５とその製品に使用する使用部品リスト４６が記憶されている。さらに、演算処理のための操作画面４８が記憶されている。プリンタ１５からは、演算処理の結果や部品コストの見積り２６や製品コストの見積り２７が出力される。また、部品の重量２８や製品の重量２９を表示したものも出力される。
【００２９】
上記条件受付手段２１は、コスト見積りの対象となる部品の重量１６の入力や主要材料の実単価１７の入力を受け付ける機能を持つ。これらと記憶装置３０から読み出された関係式やデータによって、部品のコスト見積りが実行される。コスト算出手段２２は、部品の重量と部品のコストとの関係を表す固有の関係式を記憶装置３０から読み出して、条件受付手段２１が受け付けた部品の重量をその関係式に代入して、部品のコストを算出する機能を持つ。また、あるいは、主要材料の標準単価をパラメータとした部品の重量と部品のコストとの関係を示す固有の関係式を記憶装置３０から読み出して、コストを算出する機能を持つ。この時は、部品の重量１６と主要材料の実単価１７を受け入れ、主要材料の標準単価と実単価の関係を関係式に代入する。出力制御手段２３は、コンピュータ１０のディスプレイ１２に操作画面４８などを表示したり、プリンタ１５に演算処理の結果を表示出力する制御を行う機能を持つ。
【００３０】
部品のコストは部品本体の正味価格とするのが最も適する。しかし、包装や運賃保険料、営業経費等を含めた販売価格を含めたものも、概算見積もりは可能である。部品等の重量の入力にはキーボード１３やマウス１４等を使用するとよい。関係式の構造は任意である。後で説明する例では、一次式とするのが最も実情に適合し、しかも、取り扱いや演算処理が容易である。関係式により求められる部品のコストは、部品に使用する材料の単価等も考慮にいれたものである。関係式を作成するとき、その材料の単価を標準単価とする。部品の重量とともに、主要材料の標準単価と実単価の関係を関係式に代入すれば、実単価に応じた見積もり計算ができる。表示出力方法は、コンピュータのディスプレイ１２のみに表示する方法やプリンタ１５により印刷出力する方法がある。
【００３１】
図２は、図１に示したパーソナルコンピュータ１０のハードウエアブロック図である。本体制御部１１（図１）の内部バス１１０には、ＣＰＵ（中央処理装置）１１１と、ＲＯＭ（リードオンリメモリ）１１２と、ＲＡＭ（ランダムアクセスメモリ）１１３と、ＨＤＤ（ハードディスク）１１４と、入出力インタフェース１１５とが接続されている。入出力インタフェース１１５には、ディスプレイ１２とキーボード１３とマウス１４とプリンタ１５とが接続されている。以上のハードウェアは一般的によく知られたパーソナルコンピュータに備えられている。なお、この発明の説明に不要なキャッシュメモリ等の詳細なハードウエアの説明は省略する。
【００３２】
図１に示した記憶装置３０は、ＲＯＭ１１２やＲＡＭ１１３やＨＤＤ１１４により構成される。図１に示した演算処理装置２０は、ＣＰＵ１１１、ＲＯＭ１１２、ＲＡＭ１１３等により構成される。図１の記憶装置３０内に示した各データは、ＨＤＤ１１４に記憶される。また、ＣＰＵ１１１が実行するコンピュータプログラム（各手段による）は、ＲＯＭ１１２に記憶され、あるいはＲＡＭ１１３に適時ロードされる。部品の重量と主要材料の実単価等は、キーボード１０３やマウス１０５により入力される。キーボード１０３やマウス１０５から入力されたデータは、入出力インタフェース１１５を通じてＲＡＭ１１３に一時記憶され、所定のタイミングで中央処理装置に読み出されて使用される。演算処理結果は、ディスプレイ１２等により表示出力される。
【００３３】
図３は、ディスプレイ１２に表示された操作画面の例の説明図である。
この画面５０には、材料単価５１と部品の重量５２と部品名５７を入力する欄が設けられている。この材料単価５１と部品の重量５２に基づいて関係式の演算処理を実行し、その結果が部品コスト５３として表示出力される。ボタン５５は、計算を開始するときにクリックされる。ボタン５６は、処理を中止するためにクリックされる。
【００３４】
図４は、関係式の具体例を示す説明図である。
図４（ａ）は、部品の重量とコストとの関係を示し、横軸に部品の重量をとり、縦軸に部品のコストを示している。これは、原点を通る直線状の一次式による関係式で、その一般式は図４（ａ）に示すようにＣ＝０．２Ｗで表わされる。Ｃはコストであり、Ｗは部品の重量である。なお、この式は、部品の重量が５０ｇ未満のものに適用される。また、材料単価が１００円／ｋｇであるものとしてこの式を作成した。図４（ｂ）は、部品の重量が５０ｇ以上のものについて適用される関係式を示す。この場合、関係式の傾きがやや異なる。すなわち、関係式はＣ＝０．１４Ｗで表わされる。この関係式も原点を通る１次式である。すなわち、部品の重量が５０ｇ未満の場合には、図４（ａ）に示した式に部品の重量を代入すると、部品のコストが計算できる。これは、材料単価が１００円の場合のコストである。材料単価が異なるときは換算する。部品の重量が５０ｇを越える場合には、図４（ｂ）に示す式を利用する。
【実施例２】
【００３５】
図５は、総合的な部品単価を求める式を示す。図４で求めたコストは、材料単価が１００円の場合の単位コストである。これに、材料実単価を考慮した換算処理をする。即ち、材料実単価を１００で除した値と単位コストとの積を求める。こうして部品単価が得られる。従って、図４の関係式と図５の関係式に材料単価と部品の重量を入力すると、部品コストを求めることができる。また、上記のように、部品の重量範囲毎に段階的に異なる係数を持つ１次式を用意する。これによって、様々な構造の部品についてその重量から関係式を用いて比較的精度の高いコスト見積りが可能になる。
【００３６】
図６は、図４と異なる部品についての関係式を示す。
同種の製品であれば、コスト見積もり計算に、同一の関係式を使用することができる。しかしながら、部品の重量範囲が変わると、係数が大きくなったり小さくなったりする。図６に示した例では、部品の重量が、５０ｇ未満の場合はＣ＝０．２Ｗ、５０ｇ以上５００ｇ未満の場合はＣ＝０．１５Ｗ、５００ｇ以上の場合はＣ＝０．１２５Ｗというように、３種類の関係式を設けた。いずれも１次式によって単位コストを求めることができるようになっている。これらについても同様に、材料単価が１００円／ｋｇの場合について作成されている。従って、求められた単位コストに対し図５に示したような換算処理を行って、実際の部品単価を求めることができる。
【実施例３】
【００３７】
図７は、材料に応じた実単価のデータを示す。
例えば、部品の材料が、鉄の場合、アルミニウムの場合、ステンレスの場合では、それぞれ材料単価が異なる。例えば、図示のように材料Ａ、Ｂ、Ｃについての実単価を整理したデータを用意すれば、材料Ａ、Ｂ、Ｃのいずれかを指定すると自動的に実単価を操作画面に入力するようにできる。
【００３８】
図８の（ａ）〜（ｅ）は、上記のような関係式の正当性を示すための説明図である。
まず、部品の重量に対応する価格をグラフ上にプロットして、これにより所定の１次式を得る。その後、この一次式に実際の製品の価格を入力し、部品の重量を求める。そして、実際の部品の重量との一致度を調べる。両者が充分に近い値を示せば、上記の関係式は非常に信頼性が高い精度の高いものであると言える。図８（ａ）〜（ｅ）に示すグラフはいずれも横軸に重量をとり縦軸に価格をとってある。図８（ａ）はあるメタルプレス部品の重量と部品のコストとの関係を示す。図８（ａ）に示す部品では、関係式が、ｙ＝０．１９ｘ＋１．８０である。部品の価格を入力して部品の重量を求め、実際の部品の重量と比較して相関関係を求めると、０．９８８という値が得られた。すなわち、逆方向に計算したとしても０．１％程度しか誤差が無い。極めて高い精度で部品の重量と価格との関係式が得られることがわかる。
【００３９】
また、図８（ｂ）は同様のメタルプレス部品であって、主材料が鉄の場合の重量と部品のコストとの関係を示す。図８（ｂ）に示す部品では、関係式が、ｙ＝０．１９ｘ＋１．８４である。図８（ｃ）はプラスチック成型品の部品の重量と部品のコストとの関係を示す。図８（ｃ）に示す部品では、関係式が、ｙ＝０．１６ｘ＋４．６である。図８（ｄ）はプラスチック成型品で主材料がＤ樹脂の場合の部品の重量と部品のコストとの関係を示す。図８（ｄ）に示す部品では、関係式が、ｙ＝０．２５ｘ＋０．２８である。図８（ｅ）は同じくプラスチック成型品で、主材料がＤ樹脂の場合の部品の重量と部品のコストとの関係を示す。図８（ｅ）に示す部品では、関係式が、ｙ＝０．１６ｘ＋３．４である。特殊な加工を必要とする部品では、加工の難易度が問題になり、表面処理等の付属処理を必要とするものについても、その処理の種類が問題になる。即ち、部品の加工方法毎に、それぞれ異なる係数を持つ関係式を用意するとよい。さらに、その部品の加工方法によりそれぞれ異なる係数を持つ１次式を用意することが好ましい。例えば金属加工で言えば、プレス加工やダイキャスト加工について、それぞれ異なる関係式を用いればよい。同様に、同じ材料で同じ構造の製品でも、製品の加工精度に応じて製品のコストが異なることがある。従って、加工精度に応じてそれぞれ別々に関係式を用意することが好ましい。
【００４０】
上記のような処理によって例えば、プリンタのメカ部品、プリンタのケース、プリンタのフレームなどのプレス部品について簡便に合計コストをある程度高い精度で求めることが可能になる。上記の例のように、それぞれ主材料や加工方法等に着目して、同種の部品について、その重量とコストの関係を調べると、非常に高い相関性を示すことがわかる。さらに、同時にその部品を使用した製品の総重量や部品リスト、製品のコスト見積もり結果を求めることが可能になる。
【実施例４】
【００４１】
図９は、複数の部品で構成される製品のコストを計算する画面の説明図である。
図示の画面６０には、複数の部品の重量と主材料と製品コストの関係を示す表６１が表示されている。部品の重量から部品のコストを計算する方法は、上記と同様である。ここで、製品を構成する全ての部品について上記の演算処理を実行して、各部品のコスト見積もり結果を集計することにより、製品のコスト６３を算出することができる。なお、この演算の過程で得られる部品リストは、そのまま製品を構成する部品リストとして利用できる。製品重量６２は、部品重量の合計であり、これも同時に算出できる。
【００４２】
この場合に、各部品を集合して組み立てて製品を製造する際の、組み立てコストは含まれてこない。しかし、製品を構成する一部の部品を新たな部品に交換する場合に、その部品の交換が製品のコストにどれだけ影響するかを計算することが容易にできる。元の製品の正確なコスト計算結果が得られていれば、部品交換後のコスト計算も正確にできる。
【００４３】
図１０は、上記関係式を生成する画面の説明図である。
上記の関係式は、例えば、この画面に諸条件を入力することにより生成される。そして、その結果は、記憶装置３０（図１）に記憶される。まず、この画面７０の表７５の上部に、主材料７１とその重量範囲７２を入力する。さらに、必要に応じて、加工方法７３、加工精度７４等を入力する。表７５には、実際の部品重量と部品コストとの対応関係を示す２組以上のデータを入力する。上記重量範囲で、できるだけ多くのデータを入力することが好ましい。これで、グラフ上に一定の関係のプロット群が記入された状態になる。ここで、ボタン７６をクリックすると、プロット群を通る直線からなる関係式が導かれる。この関係式は一次式であり、Ｃ＝ａＸ＋ｂで表される。Ｃは部品のコストでＸは部品の重量である。ここから、係数ａとｂとが求められる。プロット群を通る直線の求め方には、例えば、プロット群と直線の間の距離の総和が最小値をとるものを求めるという方法がある。
【００４４】
プロット群と直線との間の距離の総和が十分に小さいときは、求められた関係式による部品の重量とコストの間の相関性が高いといえる。既に説明した回帰分析により相関性を求めてもよい。いずれの場合にも、相関性８０のレベルを画面７０に出力表示して、関係式を採用するかどうかを利用者に判断させるとよい。一定の基準値を定めておいて、相関性のレベルをＡ、Ｂ、Ｃ、Ｄというように表示してもよい。合格基準値を満たすときは、自動的に関係式を登録し、その旨のメッセージを表示するのもよい。部品の主材料を条件として特定すると、相関性が高くなる。重量範囲を適切に限定すると、相関性が高くなる。部品の加工方法を特定すると、相関性が高くなる。部品の加工精度を高くすると相関性が高くなる。従って、これらを考慮して、条件を適切に取捨選択して、関係式を求めるとよい。満足できる相関性のある関係式が求められたときは、ボタン７７をクリックして関係式を登録する。記憶装置には、この関係式をどのような形式で記憶しても構わない。画面７０の入力項目と出力項目とを関係付けて記憶すればよい。
【実施例５】
【００４５】
図１１は上記システムの動作フローチャートである。
この処理は、図３の画面を利用して実行される。まず、ステップＳ１１では、条件受付手段２１が部品名を取得する。続いて、ステップＳ１２では、材料の実単価を取得する。次にステップＳ１３では、部品重量を取得する。ステップＳ１４では、コスト算出手段２２が、記憶装置３０を検索して、関係式の選択をする。ステップＳ１５では、計算を実行するかどうかの判断をする。ボタン５５がクリックされるまで待機する。ボタン５５がクリックされると、ステップＳ１６で、コスト算出手段２２が部品コストの計算をする。出力制御手段２３は、ステップＳ１７で、計算結果の出力表示をする。ステップＳ１８では、計算の条件が変更かどうかという判断をする。主材料や部品の重量を変更して再度計算をするときは、ステップＳ１２に戻る。ステップＳ１９では、部品を変更するかどうかという判断をする。部品を変更するときは、ステップＳ１１に戻る。なお、ステップＳ１８で条件変更が無いときと、ステップＳ１９で部品変更が無いときは、処理を終了する。
【００４６】
図１２は、材料の実単価を入力したときの計算方法を示す説明図である。
図１１のステップＳ１６で、実単価を用いた計算は以下のように行う。ステップＳ２１では、図３を用いて説明した要領で、標準単価による計算をする。次に、ステップＳ２２で、図５を用いて説明した要領で材料実単価換算をする。なお、上記のフローチャートでは、いずれも、部品名や重量や材料実単価等の条件を１件分ずつ入力して計算をする方法を説明した。しかしながら、データリストを用いて、多数の部品の条件を一括して入力し、一括してコスト計算をすることもできる。
【００４７】
図１３は、製品の重量とコスト計算をするプログラムの動作フローチャートである。
この動作は、図９を用いて説明した操作画面を使用して実行される。まず、ステップＳ３１で、表の一番上に入力された部品名の取得をする。次のステップＳ３２で、部品コストの計算をする。この計算方法は既に説明したとおりであり、詳細なフローチャートの表示を省略している。ステップＳ３３では、表中の右側の欄に計算結果の出力表示をする。ステップＳ３４では、全部品についてコスト計算が終了したかかどうかという判断をする。この判断の結果がイエスのときはステップＳ３５の処理に移行し、ノーのときはステップＳ３１の処理に戻る。全ての部品についてコスト計算が終了すると、ステップＳ３５では、全ての部品重量を加算して製品重量の計算をする。全ての主要部品の重量を加算すれば、製品重量が概略計算できる。ステップＳ３６では、製品コストの計算をする。全ての主要部品のコストを加算すれば、製品コストが概略計算できる。ステップＳ３７では、計算結果の出力表示をする。
【００４８】
図１４は、関係式の生成動作を示すフローチャートである。
この動作は、図１０を用いて説明した操作画面を使用して実行される。まず、ステップＳ４１では、画面７０中に入力された諸条件を取得する。次に、ステップＳ４２では、表７５に入力された部品の重量とコストとの関係を取得する。ステップＳ４３でボタン７６がクリックされるのを待つ。ボタン７６がクリックされて係数算出開始要求があると、ステップＳ４４で、既に説明した要領で、係数ａ、ｂと、相関性の算出をして、該当欄に表示する。その状態で、ボタン７７がクリックされるのを待つ。ボタン７７がクリックされると、ステップＳ４５からステップＳ４６へ進み、関係式と諸条件とを記憶装置に記憶する。
【００４９】
以上説明したシステムによれば、部品の重量や使用材料名等の簡単なデータを入力することにより、製品の簡便な見積もり計算ができる。しかも、製造工程への専門知識が不要で、コスト見積もり計算が短時間でできるという効果がある。また、複数の部品により構成される製品の部品表であって、材質や重量、部品点数等の情報を含むデータを同時に生成することもできる。また、設計者が随時設計段階で手軽に見積もり計算をすることができるので、従来よりも非常に早い段階で製品コストを予測でき、目標コストを意識した部品設計が可能になる。
【００５０】
さらに、上記の方法によれば、他社製品のコスト見積もりも簡単にできるため、自社製品との比較により課題を発見したり、コストダウンのためのアイデアを抽出できる。計算結果を実績としてデータベース化し、情報を蓄積することで、より精度の高い見積もり計算が可能になる。また、同時に、設計段階での見積もり計算用として標準化をすることも可能になる。
【００５１】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００５２】
【図１】本発明によるコスト見積りシステムの具体例ブロック図。
【図２】システムのブロック図。
【図３】ディスプレイに表示された操作画面の例の説明図。
【図４】関係式の具体例を示す説明図。
【図５】総合的な部品単価を求める式の説明図。
【図６】部品とその重量の関係式を示す説明図。
【図７】材料に応じた実単価のデータ。
【図８】関係式の正当性を示すための説明図。
【図９】複数の部品で構成される製品のコストを計算する画面の説明図。
【図１０】関係式を生成する画面の説明図。
【図１１】システムの動作フローチャート。
【図１２】材料の実単価を入力したときの計算方法を示す説明図。
【図１３】製品の重量とコスト計算をするプログラムの動作フローチャート。
【図１４】関係式の生成動作を示すフローチャート。
【符号の説明】
【００５３】
１０  コンピュータ、１１  本体制御部、１２  ディスプレイ、１３  キーボード、１４  マウス、２０  演算処理装置、３０  記憶装置、１５  プリンタ、２１  条件受付手段、２２  コスト算出手段、２３  画面制御手段、３１  部品名、３２  部品の重量、３３  部品のコスト、３４  関係式、３６  主要材料名、３７  材料標準単価、３８  部品名、３９  部品の重量、４０  部品のコスト、４１  関係式、４５  製品名、４６  使用部品リスト、４８  操作画面、２６  部品コストの見積り、２７  製品コストの見積り、２８  部品の重量、２９  製品の重量、１６  部品の重量、１７  主要材料の実単価
【図１】
2006227776.tif 000003
【図２】
2006227776.tif 000004
【図３】
2006227776.tif 000005
【図４】
2006227776.tif 000006
【図５】
2006227776.tif 000007
【図６】
2006227776.tif 000008
【図７】
2006227776.tif 000009
【図８】
2006227776.tif 000010
【図９】
2006227776.tif 000011
【図１０】
2006227776.tif 000012
【図１１】
2006227776.tif 000013
【図１２】
2006227776.tif 000014
【図１３】
2006227776.tif 000015
【図１４】
2006227776.tif 000016